【手続補正書】
【提出日】平成22年11月26日(2010.11.26)
【手続補正１】
【補正対象書類名】特許請求の範囲
【補正対象項目名】全文
【補正方法】変更
【補正の内容】
【特許請求の範囲】
【請求項１】
敷地にエネルギーシステムを提供するシステムであって、
提供される敷地に関連する、ユーザからの情報を受信するために、データ収集モジュールと連結されたユーザインターフェースモジュールと、
受信された情報に基づいて提供される敷地の画像を自動的に検索するために、地理的情報のソースに連結されたデータ収集モジュールと、
受信された画像に基づき前記敷地に関する寸法情報を提供するために構成された定寸モジュールと、
前記敷地に関する寸法情報に基づいて、構成された敷地に対して提供された前記エネルギーシステムを備えることを特徴とする、システム。
【請求項２】
受信された情報は、前記敷地の地理的位置、前記敷地の緯度及び経度、前記敷地に関連付けられた所在地住所、前記敷地に関するグリッドエネルギー消費情報、及び前記敷地に関するソーラーエネルギー消費情報の群から選択されることを特徴とする、請求項１記載のシステム。
【請求項３】
敷地寸法を受信するとともに、前記敷地寸法の少なくとも一部に基づき、エネルギーシステム詳細を生成するために、前記定寸モジュールに連結されたエネルギーシステム詳細モジュールをさらに備えることを特徴とする、請求項１記載のシステム。
【請求項４】
前記エネルギーシステム詳細が、ユーザから受信した情報の少なくとも一部に基づくことを特徴とする、請求項１記載のシステム。
【請求項５】
エネルギーシステム構成要素情報のソースに連結されるとともに、前記エネルギーシステム詳細及び前記エネルギーシステム構成要素情報に基づき、少なくとも１つのソーラーエネルギーシステムパッケージで組み立てるように構成されるパッケージアセンブリモジュールをさらに備えることを特徴とする請求項４記載のシステム。
【請求項６】
前記定寸モジュールは、
提供される構造物の画像を表示するためのデータ収集モジュールに連結された定寸操作システムと、
定寸の操作をする者が前記敷地の寸法を決定するために提供される、前記敷地の画像を操作可能な定寸操作システムを備えることを特徴とする、請求項１記載のシステム。
【請求項７】
少なくとも１つのシステム構成要素パッケージに関する価格情報を受信するための前記パッケージアセンブリモジュールと連結されるシステム見積りモジュールをさらに備え、前記システム見積りモジュールは、前記ユーザインターフェースモジュールに連結され、前記ユーザに表示する価格情報を提供することを特徴とする、請求項３記載のシステム。
【請求項８】
少なくとも１つのパッケージに関する情報を受信するための前記パッケージアセンブリモジュールに連結された建設業者モジュールと、建設業者システムに対して、構成要素情報を提供するための前記建設業者モジュールに連結された建設業者インターフェースモジュールをさらに備えることを特徴とする、請求項３記載のシステム。
【請求項９】
敷地にソーラーエネルギーシステムを提供する方法であって、
提供される前記敷地に関するユーザ情報を受信する段階と、
前記ユーザ情報に基づいて提供される前記敷地の画像を自動的に検索する段階と、
前記受信した画像に基づき、前記敷地の寸法情報を決定する段階を備えることを特徴とする方法。
【請求項１０】
表面の角度を決定するシステムであって、
前記表面の第１斜視図のソースと、
前記ソースの第２斜視図のソースと、
前記表面の第１及び第２斜視図をダウンロードするための画像検索モジュールと、
前記表面の前記第１及び第２画像に基づいて、前記表面の３ｄモデルを生成することが可能になるよう構成された画像操作ツールと、
前記３Ｄモデルに基づいて、前記表面の傾斜を決定するよう構成されたモデル分析器を備えることを特徴とするシステム。
【請求項１１】
前記画像操作ツールはさらに、前記第１斜視図に基づいて前記表面に関する第１モデルを提供するための第１モデルジェネレータと、
前記第１モデルと前記第２斜視図に基づいて、前記表面に関する第２モデルを提供するように構成された第２モデルジェネレータを備えることを特徴とする、請求項１０記載のシステム。
【請求項１２】
第２画像に基づいて、前記第２画像を調整するように構成されたモデル調整モデルをさらに備え、前記モデル分析器は、調整された第２モデルに基づいて前記表面の傾斜を決定するよう構成されることを特徴とする請求項１１記載のシステム。
【請求項１３】
前記モデル分析器は、前記調整された第２モデルにより提供された前記表面の高さ及び梁間の寸法に基づいて前記表面の傾斜を決定するよう構成されることを特徴とする、請求項１２記載のシステム。
【請求項１４】
前記第2モデルは、3次元モデルを備えることを特徴とする請求項１１乃至１３いずれか１つに記載のシステム。
【請求項１５】
前記画像操作ツールは、少なくとも２つの基準点を、少なくとも２つの各画像に位置する手段を備え、少なくとも2つの各画像の第１の画像における各基準点は、前記少なくとも2つの画像の第２の画像における対応する基準点を有し、前記位置された点に基づいて、前記表面の傾斜情報を自動的に生成するように構成されたモデル情報ジェネレータを有することを特徴とする、請求項１０記載のシステム。
【請求項１６】
モデル情報ジェネレータはさらに、指し示された第１及び第２の基準点のセットに基づいて、前記表面の３次元モデルを提供するよう構成されることを特徴とする請求項１５記載のシステム。
【請求項１７】
表面の傾斜を決定する方法であって、
前記表面の第１斜視図を獲得する段階と、
前記表面の第２斜視図を獲得する段階と、
前記表面の前記第１及び第２斜視図の少なくとも１つの分析に基づいて前記表面をモデリングする段階と、
前記モデリングの段階の間に生成されたモデルデータに基づいて前記表面の傾斜を決定する段階を備えることを特徴とする方法。
【請求項１８】
屋根の傾斜を決定する方法であって、
表面の第１斜視図を獲得する段階と、
前記表面の第２斜視図を獲得する段階と、
前記第１斜視図と前記第２斜視図との間の置き換える進路を定義するために、前記第２画像に対して前記第１画像を置き換える段階と、
前記進路に沿って置き換えるデータを生成する段階と、
前記置き換えるデータに基づいて前記表面の傾斜を決定する段階を備えることを特徴とする方法。
【請求項１９】
エネルギーシステムを特定する方法であって、
表面の少なくとも1つの画像に基づいて前記エネルギーシステムに提供される敷地の特性を決定する段階と、
前記敷地の特性に基づいて、前記エネルギーシステムの構成要素詳細を自動的に生成する段階を備えることを特徴とする方法。
【請求項２０】
前記詳細に基づいて、前記システムの構成要素を自動的に選択する段階をさらに備えることを特徴とする請求項１９記載の方法。
【請求項２１】
エネルギーシステムを特定するシステムであって、
前記エネルギーシステムに対して提供される敷地の少なくとも1つの画像のソースと、
前記ソースに結合されるとともに、前記少なくとも1つの画像に基づいて、エネルギーシステムの詳細を生成するために構成されたエネルギー詳細ジェネレータを備えることを特徴とするシステム。
【請求項２２】
前記エネルギーシステム詳細を受信するために、前記エネルギー詳細ジェネレータに結合された構成要素選択モジュールをさらに備え、前記構成要素選択モジュールは、前記エネルギーシステム詳細にほぼ従ったエネルギーシステムを備える構成要素を決定する出力信号を提供するよう構成されることを特徴とする、請求項２１記載のシステム。
【請求項２３】
グラフィカルユーザインターフェースが構成されることにより、ユーザは前記詳細に基づいてメモリから構成要素の情報を検索可能であり、前記構成要素の情報に基づいて前記敷地に提供するためにエネルギーシステムパッケージを備えるよう構成要素を選択可能であることを特徴とする、請求項２２記載のシステム。
【請求項２４】
前記グラフィカルユーザインターフェースはさらに、前記敷地に関するユーザの提供された情報を受信するよう構成されることを特徴とする、請求項２３記載のシステム。
【請求項２５】
グラフィカルユーザインターフェースはさらに、
エネルギーグリッドにより提供されるエネルギーの部分及び選択されたパッケージにより提供されたエネルギーの部分を示すユーザの操作可能なグラフ表示を備える第１ディスプレイ部分と、
エネルギー詳細情報を備える第２ディスプレイ部分を備え、
前記グラフ表示は、エネルギー詳細に対応する全エネルギーの部分を示すことを特徴とする請求項２３記載のシステム。
【請求項２６】
前記グラフィカルユーザインターフェースは、さらに、
エネルギーグリッドにより提供されるエネルギーの部分及びユーザの選択したエネルギーシステム構成要素により提供されるエネルギーの部分を示すユーザが操作可能なグラフ表示を備える第１ディスプレイ部分と、
前記選択されたエネルギーシステム構成要素に関連付けられた情報を備える第２画面部分を備え、
前記グラフ表示はエネルギーシステム詳細に基づいて提供されるエネルギーの部分を示すことを特徴とする、請求項２３記載のシステム。
【請求項２７】
敷地に対応する郵便先住所を提供する住所ユニットと、
敷地選択ユニットと、
エネルギーシステム詳細ユニットにより生成されるエネルギーシステム詳細に基づいて郵便先住所を選択するよう構成される敷地選択ユニットをさらに備えることを特徴とする、請求項２１記載のシステム。
【請求項２８】
敷地への太陽のアクセスを測定する方法であって、
太陽のアクセスが見積もられる敷地を定義する少なくとも1つの画像を獲得する段階と、
前記敷地の地理的配向を決定するための前記画像を分析する段階と、
前記敷地の緯度及び経度を決定する段階と、
前記緯度及び経度に基づいて前記敷地に関する太陽の進路を決定する段階と、
前記進路及び前記地理的配向に基づいて太陽の前記敷地へのアクセスを見積もる段階を備えることを特徴とする方法。
【請求項２９】
前記敷地の少なくとも1つ影の対象物を識別するために、前記少なくとも1つの画像を分析する段階と、
太陽のアクセスが前記少なくとも１つの影の対象物により妨げられる前記敷地の対応する部分を識別する段階と、
前記対応する部分の少なくとも一部に基づいて、前記敷地への太陽のアクセスを見積もる段階を備えることを特徴とする、請求項２８記載の方法。
【請求項３０】
太陽のアクセスを見積もる段階は、
前記敷地、前記影の対象物及びモデルデータを生成するための太陽のアクセスをモデリングする段階と、
太陽の進路の少なくとも一部の間、太陽光線が前記影の対象物により妨げられる前記敷地の部分を決定するために前記モデルデータを利用する段階を備え、これにより太陽のアクセスを見積もることを実行することを特徴とする、請求項２９記載の方法。
【請求項３１】
前記モデリング段階は、太陽の前記進路の少なくとも一部の間、太陽の移動に対応する、ユーザの選択可能な時間に実行可能であることを特徴とする、請求項２８記載の方法。
【請求項３２】
太陽の前記進路の少なくとも一部の間における前記敷地の太陽の全日照と、太陽の前記進路の対応する部分の間における太陽の全遮断との関係として、前記敷地の太陽のアクセスを示す段階をさらに備えることを特徴とする、請求項２８記載の方法。
【請求項３３】
敷地への太陽のアクセスを見積もるシステムであって、
太陽のアクセスが見積もられる敷地を定義する少なくとも１つの画像を獲得する手段と、
前記敷地の地理的配向を決定するための前記画像を分析する手段と、
前記敷地の緯度及び経度を決定する手段と、
前記緯度及び経度に基づいて、前記敷地に関する太陽の進路を決定する手段と、
前記進路及び前記地理的配向に基づいて、前記敷地への太陽のアクセスを見積もる手段を備えることを特徴とする、システム。
【手続補正２】
【補正対象書類名】明細書
【補正対象項目名】００４９
【補正方法】変更
【補正の内容】
【００４９】
（グラフィカルユーザインターフェース（ＧＵＩ）（２００））
システム（１００）は、グラフィカルユーザインターフェース（ＧＵＩ）を実装することで、ユーザ（１０７）がシステム（１００）とそのサブシステムとの情報をやりとりすることが可能である。本発明のいくつかの実施形態によると、ＧＵＩ（２００）は、サーバにより実装され、該サーバは、ウェブページを提供するととともに、情報収集、計算結果、画像及びエネルギーシステムの他の情報をユーザ（１０７）に提供するための双方向のウェブページを供給する。図３は、ユーザシステム（１０６）（図１に示される）のディスプレイ装置（１０８）に提示されるＧＵＩの例を示す。ディスプレイ装置（１０８）は画面（３８０）をユーザ（１０７）に表示する。少なくともディスプレイ画面（３８０）の少なくとも一部（３８１）は、ユーザ情報、例えば、名前（３９２）、住所（３９３）又は他の立地情報をユーザ（１０７）から受信するよう構成される。
【手続補正３】
【補正対象書類名】明細書
【補正対象項目名】００５０
【補正方法】変更
【補正の内容】
【００５０】
ここで図１を参照して、システム（１００）は、ソーラーエネルギー能力とともに立地に関するユーザの提供した情報を、受信する。ＧＵＩ（２００）は、ユーザの提供する情報をシステム（１００）に提供する。システム（１００）は情報を用いて、地球物理学的データベース（１０９）（図１で示されるデータベース（１０９））から敷地の画像（３５３）を検索する。システム（１００）は、例えば、家（３９１）の屋根の画像を提供し、ユーザシステム（１０６）のディスプレイ装置（１０８）の画面（３８０）に表示する。
【手続補正４】
【補正対象書類名】明細書
【補正対象項目名】００５９
【補正方法】変更
【補正の内容】
【００５９】
ユーザ（１０７）は、ＧＵＩ（２００）を介して、システム（１００）と定寸サブシステム（５００）と情報をやりとりし、表示された画像に含まれる取り付け領域の部分を測定する。測定は、傾斜計算機（５９４）に提供される。傾斜計算機（５９４）は、ユーザ（１０７）により行われる画像の計測に基づき、表面の傾斜、例えば、屋根の傾斜を決定する。本発明の代替的な実施形態は、定寸サブシステム（５００）により自動的に行われる測定に基づき、他の取り付け表面の傾斜、例えば、建造物及び地面に関連付けられていない取り付けプラットフォームの傾斜を決定する。
【手続補正５】
【補正対象書類名】明細書
【補正対象項目名】００６２
【補正方法】変更
【補正の内容】
【００６２】
本発明のいくつかの実施形態において、エネルギー詳細サブシステム（３０００）は、パッケージアセンブリモジュール（３１００）と通信するように、連結される。パッケージアセンブリモジュール（３１００）は、例えば、エネルギー構成要素データベース（１０５）といった、エネルギーシステム構成要素情報のソースと通信するように、連結される。
【手続補正６】
【補正対象書類名】明細書
【補正対象項目名】００７２
【補正方法】変更
【補正の内容】
【００７２】
ユーザの情報データを受信するのに対応し、地理的物理的データは、段階（２７２５）で地理的物理的データソースからダウンロードされる。ダウンロードされた地理的物理的情報は、顧客により提供される情報を基に決定される。地理的物理的情報は、例えば、顧客の屋根の外観を含む顧客の住宅画像を含む。本発明の１つの実施形態において、顧客は自分の所有する家の画像が示される。本発明の１つの実施形態において、画像は衛星画像用ジオコーディングソフトウェアを用いて獲得される。本発明の１つの実施形態は、ＧＩＳサービス（例えば、Google Earth（登録商標））を用いて、位置画像及び外観の特徴を得る。本発明のいくつかの実施形態において、１つのみの画像が画像ソースから検索される。本発明の他の実施形態において、例えば、３次元モデルに依存する実施形態では、１以上の画像が画像ソースから検索される。本発明の他の実施形態において、敷地の画像は、画像ソースから画像をダウンロードする必要なく、アクセスされる。例えば、画像はユーザのコンピュータシステムのディスプレイ装置に表示される。
【手続補正７】
【補正対象書類名】明細書
【補正対象項目名】００７８
【補正方法】変更
【補正の内容】
【００７８】
図６と図９は、屋根（６００）の斜視図及び側面図をそれぞれ示す。屋根（６００）は、屋根の側面表面（６４０及び６４３）（６４２は図６において図示せず）により定義される。図６で見られるように、屋根表面（６４０）は、平行する側辺(６３１及び７３１)及び平行する側辺（６３０及び７３０）により定義される。屋根の側面表面（６４０及び６４２）は、屋根の頂上部（６４１）の形状に沿う。屋根の頂上部（６４１）は、底の側辺（６３０）よりも高く位置する。底の底辺（６３０）に対する屋根の頂上部（６４１）の高さは、寸法Ｈにより提示される。屋根（６００）の屋根の梁間は、Ｂで示される。図６において屋根（６００）は、軸（６７０）により示されるように配向される。図９において、屋根（６００）の配向は、（９７０）に示される。
【手続補正８】
【補正対象書類名】明細書
【補正対象項目名】００８０
【補正方法】変更
【補正の内容】
【００８０】
図１０に示される本発明の実施形態において、教育用ビデオクリップ（１００３）は、ユーザの画面部分に表示され、ユーザ（５０７）にＧＵＩ（５６０）との情報のやりとりについて手助けする（ＧＵＩ（５６０）及びユーザ（５０７）は図５で最もよく示されている。）。図１０に示すように、取り付け表面を示すマーカー（１０１０）によって選択可能な表面領域は、定寸のためにユーザ（５０７）により選択可能である。ビューポート（１０００）は、屋根の平面の画像を示し、該画像は、実際の３次元の形状である。屋根の寸法及び傾斜を得るために、ユーザはＧＵＩを介して、取り付け表面を決定するために、視認される画像の点を選択する。選択される点が図５に示されるモデリングユニット（５９１）に提供される。図５を参照して、モデリングユニット（５９１）は、ユーザにより提供される２次元の描写に基づき、３次元の屋根の形状の描写を発展させる。本発明のいくつかの実施形態において、モデリングユニット（５９１）は、メタデータソース（５３０）により提供される画像メタデータに依存し、３次元の描写を発展させる。画像メタデータは、表示させる画像の画像スケールの情報を含む。本発明の１つの実施形態において、スケール情報は、例えば、画像上で測定される屋根の定寸「実際」の屋根の大きさを決定するのに用いられる。メタデータは、緯度／経度、高度、カメラの位置、カメラの焦点距離などの情報を含む。画像メタデータは視認不可能であるが、画像データそのもの、例えば、画像ファイルに保存されるデータのどちらかに保存される。メタデータは、対応する画像に相互参照される個々のメタデータソース（５３０）、例えば、（５６３）で示される画像ＩＤにより提供される。
【手続補正９】
【補正対象書類名】明細書
【補正対象項目名】００８３
【補正方法】変更
【補正の内容】
【００８３】
例えば、図９を参照して、屋根の傾斜は、増加（rise）／増加(run)により与えられる。増加(run)は、溝端部（９０３）と屋根の頂上部（６４１）の間の水平距離（Ｂ１）を決定することで計算される。そして、溝端部（９０３）の上にある頂上部（６４１）の高さ（rise）は、Ｈに示すように決定される。水平上の距離（run  Ｂ２）及び高さＨ（rise）が決定されると、屋根の角度θ、そして傾斜が傾斜計算機（５０４）により計算される。従って、自宅所有者は、実生活において、屋根に取り付けられるエネルギーシステムの適切な構成要素の大きさを決定するために、測定を手動で行う必要はない。
【手続補正１０】
【補正対象書類名】明細書
【補正対象項目名】００８４
【補正方法】変更
【補正の内容】
【００８４】
ここで図５を参照して、モデリングサブシステム（５９１）は、表示画像（例えば、図６の画像）の外観上の配向において定寸される形状を定義する点を、例えば、図９に示される側面図で定寸される形状を定義する点に変更される。側面図の形状を定義する点は、スケールされた現実世界の相対的な高さ、例えば、屋根基板（６３５）に対する屋根の頂上部（６４１）を提供する。
【手続補正１１】
【補正対象書類名】明細書
【補正対象項目名】００８７
【補正方法】変更
【補正の内容】
【００８７】
図５に示すように、ＧＵＩ（５６０）は、ビューポート（５５５及び５５６）を提供する。ビューポート（５５５及び５５６）により、ユーザ（５０７）は３次元世界を、２次元の描写、例えば第１及び第２画像（５５３及び５５４）で視認することが可能である。図７は、例えばビューポート（７００）を示し、該ビューポート（７００）は、屋根（６００）の第１画像を表示する。屋根（６００）は、表示装置（５０８）（図５に示される）で、ユーザ（５０７）に表示される。エネルギーシステムを取り付けることを検討しているところの屋根（６００）の表面（６４０）は、ビューポート（７００）に表示される。屋根（６００）は、ビューポート（７００）に、３次元軸（７７０）に対する第１配向で、表示される。ユーザ（５０７）は、ユーザシステム（５０６）（図５で示される）に連結されたマウス、トラックボール、キーボード、もしくは他の入力／出力装置を操作し、ビューポート（７００）における画像と情報のやりとりをする。取り付け表面（６４０）を定寸するために、ユーザ（５０７）は、第１位置表示器（７１１）、例えば、十字線のマーカーを、屋根（６００）の取り付け表面（６４０）の１つのコーナーに設定する。ユーザ（５０７）は第２位置表示器（７０７）をもう１つ別の取り付け表面（６４０）に設定する。ユーザ（５０７）は第３の位置（７０９）をもう１つ別の表面（７０５）に第３表示器を設置することで、設定する。第１、第２及び第３の位置が、表面（６４０）の寸法を示す長方形の長さ及び幅の測定を定義する。そのようにして、第１の測定（５６１）が、図５に示すようにモデリングユニット（５９１）に提供される。
【手続補正１２】
【補正対象書類名】明細書
【補正対象項目名】００８８
【補正方法】変更
【補正の内容】
【００８８】
本発明の１つの実施形態において、モデリングユニット（５９１）の画像スケーリングモジュール（５９２）が、ＧＵＩ（５６０）により提供される画像、例えば画像（５３３）の寸法を受信する。画像スケーリングモジュール（５９２）は、さらに画像（５５３）に対応する画像スケール情報を、画像メタデータソース（５３０）から受信する。
【手続補正１３】
【補正対象書類名】明細書
【補正対象項目名】００８９
【補正方法】変更
【補正の内容】
【００８９】
本発明のいくつかの実施形態において、画像メタデータは、画像ソース、例えば画像ソース（５０９）から受信される画像情報内で提供される。この場合において、画像検索モジュール（１１０）は、受信した画像情報から画像メタデータを抽出する。本発明の他の実施形態において、画像メタデータは、画像ソース（５０９）以外のソースによって提供される。この場合、各画像のメタデータが画像スケーリングモジュール（５９２）に対して、提供される。本発明のいくつかの実施形態において、メタデータに対応する画像及びその逆の画像（図５において５６３として示される）を識別する情報は、画像情報及びメタデータ情報に含まれる。この場合、識別情報は、システム（５００）に用いられ、これにより、各表示される画像の対応するメタデータを決定する。
【手続補正１４】
【補正対象書類名】明細書
【補正対象項目名】００９０
【補正方法】変更
【補正の内容】
【００９０】
図８は、図６に示す屋根（６００）の第２画像を表示するビューポート（８００）を示す。第２画像（６００）は、第１画像の３次元軸の配向（７７０）に対する第２の配向（８７０）で表示される。ユーザ（５０７）は、第２画像（６００）と情報のやり取りを行い、第２画像における第１、第２及び第３の位置を設定する。ユーザ（５０７）は、十字線マーカーのような表示器を、第２画像（６００）に表示される表面（６４０）における対応するコーナー（８１１、８０７及び８０９）に設置する。ビューポート（８００）に表示される各表面のコーナー（６４０）は、ビューポート（７００）に表示される表面（６４０）の各コーナーに対応する。例えば、ビューポート（７００）に表示されるコーナー（７１１）は、ビューポート（８００）に表示されるコーナー（８１１）に対応する。
【手続補正１５】
【補正対象書類名】明細書
【補正対象項目名】００９１
【補正方法】変更
【補正の内容】
【００９１】
ユーザ（５０７）によりマークされたように、第１、第２及び第３位置（８１１、８０７及び８０９）は、一般的な長方形表面（６４０）の長さ及び幅測定を定義する。各測定は、表面（６４０）の異なる軸の配向に対して行われる。このようにして、第１及び第２の長さ及び幅の測定（５６２）（図５で最もよく示される）が図５に示すように、モールディングユニット（５９１）に提供される。
【手続補正１６】
【補正対象書類名】明細書
【補正対象項目名】００９２
【補正方法】変更
【補正の内容】
【００９２】
上述した本発明の実施形態において、及び図５で示されるように、変換／変更ユニット（５９６）は、AutoCad(登録商標)などの商業的に利用可能な３Ｄモデリングソフトウェアパッケージを備える。第１及び第２の配向における形状を定義する点を提供することで、変換変更ユニット（５９６）はあらゆる形状、例えば、図９に示す側面図の配向を描写可能である。このようにして、変換／変更ユニット（５９６）は測定Ｈを提供し、該測定Ｈは、屋根基盤から屋根の頂上部の変位を示す。
【手続補正１７】
【補正対象書類名】明細書
【補正対象項目名】００９３
【補正方法】変更
【補正の内容】
【００９３】
（第２実施形態）
定寸サブシステム（５００）の代替的な実施形態が図１１乃至図１９に示される。図１１は、ビューポート（１１００）を介して、屋根の上面図（６００）を表示するＧＵＩの例を示す。屋根の側面表面（６４０）を備える取り付け領域が測定される。情報をやり取りする測定ツール（１１０７）は、ビューポート（１１００）に表示される。ユーザが測定ツール（１１０７）を操作することで、ツール（１１０７）は、異なる方向から同一の屋根（６００）を描写する第１及び第２画像に対して配置することが可能である。測定ツールは、測定される対象、例えば屋根の側面表面（６４０）を調整するために、ユーザ（５０７）により回転及びスケール可能である。測定ツール（１１０７）の代わりの実施形態は、（１１１７）で説明される。ツール（１１１７）は、側面（１１３７）及び側面（１１２７）を含む。
【手続補正１８】
【補正対象書類名】明細書
【補正対象項目名】００９７
【補正方法】変更
【補正の内容】
【００９７】
図１２は、図１１に示される屋根画像（６００）などの３Ｄの形状の表面、面の平面図を示す。ビューポート（１２００）は、画像（６００）をユーザ（５０７）に表示する。表面形状は、表示される画像（６００）の長さＬ、基盤Ｂ及び頂上線（６４１）で定義される。表示される表面形状は、基準面、例えば、基準軸（１２１１）のｘ−ｙ面で配向される。ユーザ（５０７）は、ユーザシステム（５０６）に連結されたマウス、トラックボール、キーボードもしくは他の入力／出力装置を操作し、画像（６００）と情報のやり取りをする。
【手続補正１９】
【補正対象書類名】明細書
【補正対象項目名】００９８
【補正方法】変更
【補正の内容】
【００９８】
表面（６４０）を定寸するために、ユーザ（５０７）は画像（６００）上に定寸ツール（１１０７又は１１１７）（図１１に示される）を重ね合わせる。ユーザ（５０７）は、ツールの寸法を、キーボード、マウス、トラックボール、もしくは他の入力／出力装置を用いて、調整する。ツール（１１６７）の寸法が調整されることで、定寸ツール（１１０７）の側面の長さと画像表面（６４０）の長さＬが適合する。同様に、ユーザ（５０７）が定寸ツールの長方形（１１０７）の側面の幅（１１５７）を調整し、表面画像（６００）の長さＢに適合させる。そのようにして、ユーザ（５０７）は、長さ及び基盤の測定、及び基準軸（１２１１）に対する形状（６００）の配向を含む形状（６００）の描写を提供する。描写は、モデリングユニット（５９１）（図５で最もよく示される）に対して提供される。
【手続補正２０】
【補正対象書類名】明細書
【補正対象項目名】００９９
【補正方法】変更
【補正の内容】
【００９９】
図５で示されるように、測定ツール（１１０７）の寸法及び配向を備える第１画像測定（５６１）は、図５に示すように、モデリングユニット（５９１）に提供される。提供される軸の配向と比較して、３Ｄ空間のツール（１１０７）のあらゆる他の配向で確認できるように、モデリングユニット（５９１）は、図１１の上下の配向における測定ツール（１１０７）の形状を定義する地図上の点を、測定ツールの形状に変換することを決定する。
【手続補正２１】
【補正対象書類名】明細書
【補正対象項目名】０１００
【補正方法】変更
【補正の内容】
【０１００】
ユーザ（５０７）は、図１３に示す第２ビューポート（１３００）に対して、測定ツール（１１０７）（又は１１１７）を操作する。図１３は、図１１に示す屋根（６００）の斜視図を示すビューポート（１３００）を示す。屋根（６００）の斜視図は、基準３Ｄ軸（１３１１）に対して、配向される。ユーザ（５０７）は、屋根（６００）の斜視図の基盤Ｂ及び長さＬに対してツール（１１０７）（又は１１１７）を調整する。
【手続補正２２】
【補正対象書類名】明細書
【補正対象項目名】０１０１
【補正方法】変更
【補正の内容】
【０１０１】
図５に示すように、モデリングユニット（５９１）の変換／変更ユニット（５６９）により、３次元における測定ツール（１１０７）（又は１１１７）を操作することが可能である。測定ツール（１１０７）（又は１１１７）のあらゆる側面の長さを調整することで、ツール（１１０７）（又は１１１７）の残りの側面の長さを対応して調整される。さらに、測定ツール（１１０７）は、３次元に回転可能である。図１５は、３次元（Ｘ軸、Ｙ軸、Ｚ軸）で、測定ツール（１１０７）の配向を示し、該測定ツール（１１０７）は、図１３に示すビューポート（１３００）において屋根画像（６００）と揃っている。
【手続補正２３】
【補正対象書類名】明細書
【補正対象項目名】０１０２
【補正方法】変更
【補正の内容】
【０１０２】
図１６は、屋根（６００）に対し、ビューポート（１３００）（例えば図１３で示される）における測定ツール（１１０７）（例えば図１５で示される）の設置を示す。最適な配向に設置されると、図１７に示すように屋根（６００）の側面の長さに適合するように、ツール（１１０７）の側面の長さが調整される。測定ツール（１１０７）の側面は、屋根（６００）の基盤と揃うように、図１７において測定ツール（１１０７）は配置される。測定ツール（１１０７）は、図１７に示すように配置されると、測定ツール（１１０７）を用いて第２測定が獲得される。さらに、基準軸（図１６に示されるＸ軸、Ｙ軸、Ｚ軸）に対する測定ツール（１１０７）の配向についての情報が、モデリングツール（１１０７）に対して提供される。スケーリングユニット（５９２）により提供される情報に加えて、変換／変更ユニット（５９８）は、このように提供される情報を用いて、屋根（６００）の「現実世界」の測定を決定する。
【手続補正２４】
【補正対象書類名】明細書
【補正対象項目名】０１０３
【補正方法】変更
【補正の内容】
【０１０３】
図１８及び図１９は、屋根基盤（６３５）からの屋根（６００）の頂上部（６４１）の変位（ｄ）を測定するために用いられる測定ツール（１１０７）を示す。変位情報はモデリングユニット（５９１）（図５）により用いられて、屋根（６００）の傾斜を決定するのに用いられる。図１８に示すように、ユーザ（５０７）は、図１７に示す位置から図１８に示される位置へと（Ｚ軸）方向に測定ツール（１１０７）を変位させる。すなわち、基盤（６３５）から頂上部（６４１）の距離ｄを変位させる。図１９は、図１７の測定ツール（１１０７）の配置と、図１８の測定ツール（１１０７）の配置との間の距離ｄを示す。測定の差ｄは、モデリングユニット（５９１）に提供される。変換／変更ユニット（５９６）は、現実世界の屋根（６００）（図９で最もよく示される）の基盤（６３５）に対する頂上部（６４１）の高さＨを決定する。現実世界の高さがわかると、屋根の傾斜が決定される。
【手続補正２５】
【補正対象書類名】明細書
【補正対象項目名】０１０９
【補正方法】変更
【補正の内容】
【０１０９】
図２８は、取り付け表面の傾斜を決定する方法の段階を示す。取り付け表面を示す画像の平面図は、段階（２８０３）で表示される。第１表示器は、段階（２８０５）で取り付け表面の画像の周囲に配される。取り付け表面の斜視図は、段階（２８０７）で表示される。第２表示器は、取り付け表面の画像の周囲に配される。段階（２８１３）で、定寸ウィンドウは、取り付け表面の基盤と表面の頂上部との間の距離を越える観点で、垂直に変位される。変位が高さの測定、例えば、側面図に対応する高さに変換され、現実世界の屋根の頂上部の高さを示す。傾斜は、高さに基づき、段階（２８１７）で計算される。
【手続補正２６】
【補正対象書類名】明細書
【補正対象項目名】０１１５
【補正方法】変更
【補正の内容】
【０１１５】
他の実施形態において、影の対象物は、複数の周囲の点を、１以上のビューポイントから、３ｄ対象／メッシュ（２０１３）へと変換することで、自動的に作成される。スケーラ（５９２）及び３Ｄ位置変換変更器（５９６）を含むモデリングユニット（５９１）は、取り付け表面での表示器に対して記載されるのと同じ方法で、第１及び第２画像（５５３、５５４）における表示された点を操作する。モデリングユニット（５９１）は、ユーザが選択した取り付け表面近辺の影の対象物だけでなく、３次元の取り付け表面の描写（屋根モデル２０１１）も備える場面モデル（２００９）を提供する。投影計算機（２０００）は、モデリングユニット（５９１）から場面モデル（２００９）を受信する。
【手続補正２７】
【補正対象書類名】明細書
【補正対象項目名】０１１６
【補正方法】変更
【補正の内容】
【０１１６】
さらに、投影計算機（２０００）は、太陽進路モデル（２００５）を形成する太陽光線モデル（２００７）を受信する。本発明の１つの実施形態において、太陽進路モデル（２００５）は、緯度と経度、および月、年、時刻で太陽光線を予測するデータベースを備える。本発明の１つの実施形態において、取り付け表面上で影の対象物が投げかける影の境界は、取り付け表面での影の対象物の外郭を投射することで決定され、該投射による線は、太陽光線と平行である。取り付け表面に対する太陽光線の方向は、場面モデルと太陽光線モデルを比較することで決定される。
【手続補正２８】
【補正対象書類名】明細書
【補正対象項目名】０１２４
【補正方法】変更
【補正の内容】
【０１２４】
表２太陽進路モデル（２００５）
【手続補正２９】
【補正対象書類名】明細書
【補正対象項目名】０１２５
【補正方法】変更
【補正の内容】
【０１２５】
表２は太陽進路モデル（２００５）を備えるデータの例である。
【手続補正３０】
【補正対象書類名】明細書
【補正対象項目名】０１３４
【補正方法】変更
【補正の内容】
【０１３４】
（図２１エネルギーシステム詳細の生成）
本発明の１つの実施形態は、ユーザの選択した取り付け敷地にカスタマイズされたエネルギーシステム詳細を生成する。エネルギーシステム詳細は、選択された敷地のエネルギー生成能力に関係する。ソーラーエネルギーシステムの取り付けは、例えば、屋根表面は、利用可能な取り付け領域、太陽に対する取り付け表面の配向、そして取り付け表面の影対象物の影響などのエネルギーに関するパラメータを決定するために、評価される。屋根のエネルギー最大総生成能力は、パラメータに基づき決定される、そして、入手可能なソーラーシステム構成要素のエネルギー生成の特性に基づき決定される。
【手続補正３１】
【補正対象書類名】明細書
【補正対象項目名】０１３５
【補正方法】変更
【補正の内容】
【０１３５】
図２１は、本発明の実施形態に基づく、エネルギーシステム詳細（ＥＳＳ）ジェネレータ（２３００）のブロック図である。ＥＳＳジェネレータ（２３００）は、入力（２３８１）で敷地に関する表面寸法情報を受信する。本発明の実施形態において、入力（２３８１）は、定寸情報、例えば、定寸サブシステム（５００）から供給される。定寸情報は、例えば、取り付けに利用可能な表面領域、利用可能な領域の形状、領域の傾斜及び取り付け敷地に関する他の情報を含む。
【手続補正３２】
【補正対象書類名】明細書
【補正対象項目名】０１３６
【補正方法】変更
【補正の内容】
【０１３６】
ＥＳＳジェネレータ（２３００）は、敷地での表面寸法情報に基づき、敷地のエネルギーシステム詳細を提供する。エネルギーシステム詳細は、提供される敷地での取り付けるのに適したエネルギーシステム構成要素を決定する情報を備える。例えば、敷地は、屋根の上面、屋根表面の１平方フィートごとのエネルギーを決定するＥＳＳジェネレータ（２３００）を備える。
【手続補正３３】
【補正対象書類名】明細書
【補正対象項目名】０１３７
【補正方法】変更
【補正の内容】
【０１３７】
本発明の１つの実施形態において、ＥＳＳジェネレータ（２３００）は、取り付け敷地の取り付け表面領域により潜在的に生成されるエネルギー量を決定する。１つの例となる実施形態において、潜在的に生成されるエネルギーは、式１．表面領域Ｘ、太陽光断熱Ｘ、傾斜及び方位によるエネルギー減少＝潜在的なソーラーエネルギーにより潜在的に生成される。
【手続補正３４】
【補正対象書類名】明細書
【補正対象項目名】０１３９
【補正方法】変更
【補正の内容】
【０１３９】
本発明の実施形態において、太陽光断熱は、太陽光断熱データベース（図示せず）におけるデータを基に計算される。その実施形態において、ユーザに提供される位置情報（９００）（図２で示される）は、断熱データベースで、取り付けに選択される敷地に関連付けられた太陽光断熱データを検索するのに用いられる。断熱計算は、エネルギーシステム詳細サブシステム（２３００）により生成されたエネルギーシステム詳細を用いた発明の実施形態で実行され、定寸サブシステム（５００）により提供される取り付け表面寸法と対応する。本発明の他の実施形態において、エネルギーシステム詳細サブシステム（２３００）は、データベース（１１７）のような住宅エネルギー消費データベースを参考にして決められた地方の電気代に基づいて、断熱が計算される（図１に示す）。
【手続補正３５】
【補正対象書類名】明細書
【補正対象項目名】０１４０
【補正方法】変更
【補正の内容】
【０１４０】
ここで図２１を参照して、本発明の１つの実施形態において、ＥＳＳジェネレータ（２３００）は、敷地の緯度と経度に基づいて、敷地の詳細を提供する。本発明の１つの実施形態において、計算を行い、定寸サブシステム（５００）から傾斜及び方位の情報を求める。本明細書で用いられる用語「方位」は、北に対する角度を意味する。いくつかの実際のエネルギーシステムの実行において、取り付けられたエネルギーシステムのエネルギー出力は、傾斜及び方位を考慮に入れるために、減少する。
【手続補正３６】
【補正対象書類名】明細書
【補正対象項目名】０１４１
【補正方法】変更
【補正の内容】
【０１４１】
本発明の１つの実施形態において、「平坦」と比較した傾斜面での傾斜及び傾斜面の方位の組み合わせは、定寸サブシステム（５００）により提供される情報に基づいてシステム（２３００）により決定される。表面により受信するエネルギーは、この決定により、減少する。減少量は、ある実施形態において自動的に算出される。
【手続補正３７】
【補正対象書類名】明細書
【補正対象項目名】０１４２
【補正方法】変更
【補正の内容】
【０１４２】
本発明のもう１つ別の実施形態において、減少量は、標準基準表を含む適切なデータベースを参照することで計算される。本発明の１つの実施形態において、ＥＳＳジェネレータ（２３００）は、ＥＳＳジェネレータ（２３００）による評価に基づき、敷地と類似する特性を有するモデル敷地を識別する。モデル敷地のデータセットは、ＥＳＳジェネレータ（２３００）による考慮に基づき、敷地の特性とできるだけ近接して適合するように、調整される。例えば、ＥＳＳジェネレータ（２３００）による考慮に基づく敷地は、モデル敷地の２倍の大きさである。そして、ＥＳＳジェネレータ（２３００）による考慮に基づく敷地は、同じ傾斜及び方位である。その後、考慮する敷地について、ＥＳＳジェネレータ（２３００）は、エネルギーシステム詳細のパラメータ「エネルギー出力」に２を掛ける。本発明の実施形態において、ＥＳＳジェネレータ（３００）は、影サブシステム（２０００）からの影情報が提供される。影情報は、詳細が生成される表面に提供される。影の影響については、本発明の１つの実施形態において、表面領域での１平方フィートあたりのエネルギーとして表現される。
【手続補正３８】
【補正対象書類名】明細書
【補正対象項目名】０１４３
【補正方法】変更
【補正の内容】
【０１４３】
本発明のいくつかの実施形態において、ＥＳＳサブシステム（２３００）は、住宅用エネルギー消費ソース、例えば図１において示す住宅エネルギー消費データベース（１１７）から顧客の住宅に関連する家庭でのエネルギー消費についての情報を受信する。ＥＳＳジェネレータ（２３００）は、家庭のエネルギー消費情報に基づいて、エネルギーシステム詳細を調整する。例えば、家庭のエネルギー消費が、潜在的に生成されるエネルギーよりも低い場合、システム詳細は、最大許容出力よりも低い状態でシステムが定義されるように、調整される。
【手続補正３９】
【補正対象書類名】明細書
【補正対象項目名】０１４４
【補正方法】変更
【補正の内容】
【０１４４】
本発明の１つの実施形態は、ＥＳＳジェネレータ（２３００）により提供されるエネルギーシステムの詳細に基づいて、エネルギーシステムの構成要素の自動的な選択を提供する。例えば、エネルギーシステムの構成要素の詳細は、構成要素データベース（２３０５）に保存される。ＥＳＳジェネレータ（２３００）は、構成要素データベース（２３０５）と通信を行うように構成される。ＥＳＳジェネレータ（２３００）は、データベース内に保存されているエネルギーシステムの詳細と、敷地でのエネルギーシステムとの構成要素の詳細を比較する。
【手続補正４０】
【補正対象書類名】明細書
【補正対象項目名】０１４７
【補正方法】変更
【補正の内容】
【０１４７】
（構成要素）
図２２は、一般的な構成要素を含むソーラーエネルギーシステム（２２００）の例を示す。エネルギーシステム（２２００）の構成要素についての情報は、システム（２４００）（図２４で示されるシステム（２４００））の構成要素データベース（２４０５）に保存されている。システム（２２００）は、ソーラーパネル（２４０１−２４０９）のアレイ（２４５０）を備える。パネル（２４０１−２４０９）は、ＤＣ切断部（２４１１）を介して、インバーター（２４１３）に接続される。インバータ（２４１３）は、メータ（２４１４）を介して、ＡＣ切断部（２４１５）に接続される。ＡＣ切断部（２４１５）は、ＡＣ引込口（２４１７）へと接続される。ＡＣ引込口（２４１７）は、需給計器（２４１９）を介して、従来からのエネルギーグリッドに接続される。
【手続補正４１】
【補正対象書類名】明細書
【補正対象項目名】０１５３
【補正方法】変更
【補正の内容】
【０１５３】
パッケージ分析器（２４８７）は、エネルギー構成要素データベース（２４０５）に取り付けられている。エネルギー構成要素データベース（２４０５）は、エネルギーシステム構成要素の費用を含む詳細を保存する。例となるエネルギーシステム構成要素の詳細は、（２４９３）に示される。パッケージ情報は、パッケージを構成するように選択された構成要素に関する情報を備え、該情報は、エネルギー構成要素データベース（２４０５）から、パッケージ管理ユニット（２４８８）へと提供される。パッケージ管理ユニット（２４８８）は、パッケージ情報ストレージユニット（２４９７）におけるパッケージ情報を保存する。本発明の１つの実施形態において、パッケージ情報ストレージユニット（２４９７）は、画像及びパッケージ構成要素に関するパッケージ情報を保存する。パッケージビューユニット（２４８６）は、組み立てられたパッケージの画像を提供する。該パッケージの画像は、システム（２４０６）の表示装置（２４０８）で、購買オプションとしてユーザ（２４０３）に対して表示される。
【手続補正４２】
【補正対象書類名】明細書
【補正対象項目名】０１５４
【補正方法】変更
【補正の内容】
【０１５４】
図２３に示すように、システムが顧客の屋根（６００）に現れると、本発明のシステム及び方法が、顧客の設計したソーラーＰＶシステム（２４５０）の表示画面（２５０３）を提供する。本発明の１つの実施形態において、ユーザの選択可能なパッケージ（２５０１）は、顧客の屋根の画像とともに表示される。パッケージ選択のオプションを用いることで、顧客の屋根の表示画像を、選択されたパッケージに対応するソーラーＰＶシステムの画像に変更させる。
【手続補正４３】
【補正対象書類名】明細書
【補正対象項目名】０１５７
【補正方法】変更
【補正の内容】
【０１５７】
本発明のいくつかの実施形態において、定寸サブシステム（２００）（図１において（５００）とも記載）は、ユーザの特定した位置に関するエネルギー消費データを、エネルギー消費データ（１１７）（図１に記載される）のソースから受信する。本発明のいくつかの実施形態によると、定寸モジュール（２００）はユーザの提供したシステムの基準情報、例えば、ユーザ（２４０７）がソーラーエネルギーシステムを用いて供給しようとする全エネルギーのパーセンテージを、ユーザシステム（２４０６）から受信する。データベース（１１７）から受信したエネルギー消費についての情報及び、ユーザ（２４０７）により示されるソーラーエネルギーシステムの所望のエネルギー生成についての情報、さらに、エネルギー詳細サブシステム（３００）により提供されるエネルギー詳細に基づき、パッケージ分析器（２４８７）は、基準に適合する構成要素を備える少なくとも１つのパッケージを決定する。
【手続補正４４】
【補正対象書類名】明細書
【補正対象項目名】０１５８
【補正方法】変更
【補正の内容】
【０１５８】
図２６は、本発明の実施形態によると、エネルギーシステムを見積もりする方法の段階を示す。段階（２６０１）で、敷地の寸法が、例えば、図１に示すサブシステム（５００）のような定寸サブシステムから、受信される。段階（２６１１）で、敷地の寸法に基づき、敷地のためにエネルギー詳細が生成される。例えば、図２１に示されるジェネレータ（２３００）のようなエネルギーシステム詳細ジェネレータにより、詳細が生成される。段階（２６１３）で、構成要素は、敷地の寸法及びエネルギーシステム詳細に基づき、構成要素データベースから自動的に選択される。複数の構成要素となりうる構成が、エネルギーシステム詳細を満たすのに適している場合、適切なエネルギーシステムの様々な配置を備える複数のパッケージオプションが、決定される。パッケージオプションが潜在的なシステム購買者の表示装置に段階（２６２１）で表示される。
【手続補正４５】
【補正対象書類名】明細書
【補正対象項目名】０１６１
【補正方法】変更
【補正の内容】
【０１６１】
図２４で示されるように、パッケージ管理ユニット（２４８８）は、パッケージ情報をパッケージ分析ユニット（２４８７）から受信し、パッケージ情報ストレージ（２４９７）で情報を保存する。パッケージ管理ユニット（２４８８）は、パッケージ選択及び他の情報を、ＧＵＩ（２４６０）を介して、ユーザ（２４０７）から受信する。本発明の１つの実施形態において、パッケージ管理ユニット（２４８８）は、パッケージビューをユーザ（２４０７）に提供する。ユーザ（２４０７）がパッケージ管理（２４９７）と情報のやり取りを行い、システムをユーザの好みにカスタマイズすることが可能である。
【手続補正４６】
【補正対象書類名】明細書
【補正対象項目名】０１６３
【補正方法】変更
【補正の内容】
【０１６３】
図１で示されるように、本発明の実施形態は、データベース、電気データ、ソーラー出力データ、地理的写真データ及び助成金データを備えたデータベース、例えば第３者データ供給者のデータベースと通信を行うよう構成される。従って、本発明は、エネルギーシステムの利益を詳しく調べることに興味を有するユーザに対して、包括的なオンラインの解決方法を提供する。
【手続補正４７】
【補正対象書類名】明細書
【補正対象項目名】０１６５
【補正方法】変更
【補正の内容】
【０１６５】
図３０は、本発明の1つの実施形態に基づき、潜在的なエネルギーシステム購買者に対し、見積もりを提供する方法の段階を示す。段階（３１０１）では、候補構造が、ソーラーエネルギーシステムパッケージの取り付けのために選択される。各候補構造エネルギーの使用データは、段階（３１０３）で決定される。各候補構造では、構造の画像は、段階（３１０７）で入手される。また、各構造では、払戻し情報が段階（３１０５）で入手される。